(57)【要約】【課題】部品点数を有効に低減させるとともに、耐久性を向上させることができる防振装置を提供することを目的とする。【解決手段】少なくとも、ダイヤフラム５とゴム弾性体４との間に区画されて液体を封入された液室６を、仕切部材７によって、外筒の軸線方向に二分割して主液室６ａと副液室６ｂとに区分し、その仕切部材７を剛性部分と弾性部分とで構成し、この剛性部分が、フランジ部７ａ、筒状部７ｂおよび内向フランジ部７ｃを有するものととともに、弾性部分を内向フランジ部７ｃに連結されて、内向フランジ部７ｃの内周側を液密に封止するメンブラン９とし、主液室６ａと副液室６ｂとを、剛性材料を主体とする制限通路８によって連通させ、ダイヤフラム５の筒状立ち上がり部分５ｂを、少なくとも外筒の内周側に、かしめ固定される制限通路の内周面に接着させるとともに、仕切部材７の筒状部７ｂの下端周縁部７ｄを、制限通路８の下端部分８ａより下方に位置させる。【選択図】図２
2010255688.tif 000002
【特許請求の範囲】
【請求項１】
振動の発生側および伝達側のそれぞれに取付けられる剛性部材のいずれか一方をコア部材、他方を外筒とし、この外筒の一端部を、ゴム弾性体によってコア部材の外周面に液密に連結するとともに、その外筒の他端をダイヤフラムによって液密に封止して、少なくとも、ダイヤフラムとゴム弾性体との間に区画されて液体を封入された液室を、仕切部材によって、外筒の軸線方向に二分割して主液室と副液室とに区分し、その仕切部材を剛性部分と弾性部分とで構成し、この剛性部分が、フランジ部、筒状部および内向フランジ部を有するものととともに、弾性部分を内向フランジ部に連結されて、内向フランジ部の内周側を液密に封止するメンブランとし、主液室と副液室とを、剛性材料を主体とする制限通路によって連通させる防振装置であって、
ダイヤフラムの筒状立ち上がり部分を、少なくとも外筒の内周側に、かしめ固定される制限通路の内周面に接着させるとともに、仕切部材の筒状部の下端周縁部を、制限通路の下端部分より下方に位置させてなる防振装置。
【請求項２】
ダイヤフラムの筒状立ち上がり部分を、仕切部材の筒状部外周面に密着させてなる請求項１に記載の防振装置。
【発明の詳細な説明】
【技術分野】
【０００１】
本発明は、例えば、自動車のエンジン等の振動発生部の振動の、振動伝達側としての車体への伝達を、ゴム弾性体の変形および封入液体の流動をもって抑制し、吸収する防振装置に関するものであって、特に装置の耐久性を高める技術を提案するものである。
【背景技術】
【０００２】
この種の液入り防振装置では、内外筒金具間でダイヤフラムとゴム弾性体との間に区画されて液体を封入された液室を、仕切部材によって、内外筒金具の軸線方向に二分割して主液室と副液室とに区分し、そして、これらの両液室を、仕切部材とは別体になって、剛性材料を主体とする制限通路によって相互に連通させることが広く一般に行われている。
このような防振装置では、内筒金具もしくは外筒金具のいずれか一方を連結した振動発生部から入力される振動は、ゴム弾性体の変形によって吸収される他、主・副液室内の液体が、液室の圧力変化に基づいて、制限通路を経て、それらの間で流動することによる液柱共振、流動抵抗等によって減衰されることになるので、他方の金具を連結した振動伝達側への振動の伝達は有効に防止されることになる。
【０００３】
ところで、このような防振装置において、多くはゴム製のダイヤフラムの筒状立上がり部分を、制限通路の内周面に接着させる場合には、ダイヤフラムの、液室を拡縮する向きの変形に伴って接着部に発生する、特に横方向内向きの力に起因して、ダイヤフラムが、制限通路の下端部分から離隔する向きの分力を受けることになるため、ダイヤフラムの筒状立上がり部分が、制限通路から離隔するおそれがある。これがため、制限通路からの液漏れや、ダイヤフラムの拘束力が低下することから、特許文献１，２に開示されているように、制限通路の下端部分に、ダイヤフラムに埋め込み配置した金属リングそれ自体が制限通路に加硫接着させたり、または、図４に示すように、制限通路２８の下端部分２８ａに、肉厚に形成したダイヤフラム２５の筒状立ち上がり部分２５ｂを加硫接着させて、制限通路２８によるダイヤフラム２５の拘束力を高め、ダイヤフラム２５に作用する制限通路２８から離隔する方向の力を緩和し、また、制限通路２８への、ダイヤフラム２５の筒状立ち上がり部分２５ｂの接着面積を増加させて、離隔する方向の力の分散を図っていた。
【０００４】
しかるに、これらの従来技術にあっては、仕切部材および制限通路の他、それとは別体になる金属リングや、ダイヤフラムの肉厚部分を必要になることから、部品点数の増加の他、重量の増加が否めなかった。
【先行技術文献】
【特許文献】
【０００５】
【特許文献１】特開平１０−２５２８２８号公報
【特許文献２】特開２００７−２１８２７２号公報
【発明の概要】
【発明が解決しようとする課題】
【０００６】
そこで、本発明は、部品点数を有効に低減させるとともに、耐久性を向上させることができる防振装置を提供することを目的とする。
【課題を解決するための手段】
【０００７】
この発明の防振装置は、振動の発生側および伝達側のそれぞれに取付けられる剛性部材のいずれか一方をコア部材、他方を外筒とし、この外筒の一端部を、ゴム弾性体によってコア部材の外周面に液密に連結するとともに、その外筒の他端をダイヤフラムによって液密に封止して、少なくとも、ダイヤフラムとゴム弾性体との間に区画されて液体を封入された液室を、仕切部材によって、外筒の軸線方向に二分割して主液室と副液室とに区分し、その仕切部材を剛性部分と弾性部分とで構成し、この剛性部分が、フランジ部、筒状部および内向フランジ部を有するものととともに、弾性部分を内向フランジ部に連結されて、内向フランジ部の内周側を液密に封止するメンブランとし、主液室と副液室とを、剛性材料を主体とする制限通路によって連通させるものであって、ダイヤフラムの筒状立ち上がり部分を、少なくとも外筒の内周側に、かしめ固定される制限通路の内周面に接着させるとともに、仕切部材の筒状部の下端周縁部を、制限通路の下端部分より下方に位置させてなるものである。
【０００８】
ここで好ましくは、ダイヤフラムの筒状立ち上がり部分を、仕切部材の筒状部外周面に密着させてなる。
【発明の効果】
【０００９】
本発明の防振装置は、仕切部材の筒状部の下端周縁部を、制限通路の下端部分より下方に位置させることで、ダイヤフラムの変形に伴う、それの筒状立上がり部分の、制限通路の下端部分から離隔する方向の力、なかでも、ダイヤフラムの筒状立上がり部分の半径方向内方に向く、横方向内向きの力を、仕切部材の筒状部で抑制することができる。その結果、制限通路の下端部分に金属リングやダイヤフラムの肉厚部分等を設けることなく、すなわち部品点数、重量等の増加なしに、防振装置の耐久性を向上させることができる。
【００１０】
また、ダイヤフラムの筒状立ち上がり部分を、少なくとも外筒の内周側に、かしめ固定される制限通路の内周面に、加硫その他によって接着させることで、ダイヤフラムそれ自体の位置決め保持を確実なものとするとともに、十分強固なものとすることができる。
【図面の簡単な説明】
【００１１】
【図１】本発明の一の実施形態を示す縦断面図である。
【図２】図２は、図１の要部拡大断面図である。
【図３】本発明の他の実施形態を示す要部拡大断面図である。
【図４】従来の実施形態を示す要部拡大断面図である。
【発明を実施するための形態】
【００１２】
図１は、本発明の一の実施形態を示す縦断面図であり、図２は、図１の要部拡大断面図である。
図中１は、防振装置を、２は剛性コア部材の一例としてのコア金具を、３は、コア金具２と同心に配置した、剛性外筒の一例としての外筒金具をそれぞれ示す。
ここにおけるコア金具２は、多くの場合、筒部の中央部分に、雌ねじが形成されたねじ穴を設けて振動発生側、例えば自動車等のエンジンに連結され、外筒金具３は、多くは、筒状ホルダーを介して振動伝達側、例えば自動車等の車体に連結される。
【００１３】
ここでは、外筒金具３の一方の端部側で、それの内周面および、コア金具２の外周面のそれぞれに、ほぼ円筒形状をなすゴム弾性体４を加硫接着させて、このゴム弾性体４によって液室空間の一部を区画する。
なおこの図では、ゴム弾性体４の下端部分を、外筒金具３の内周面を覆う薄肉部４ａとしているが、この薄肉部４ａは省くことも可能であり、また、図に示すところでは、ゴム弾性体４をもって、コア金具２の下端面まで覆うこととしているも、コア金具２の下端部はゴム弾性体４から露出させることも可能である。
【００１４】
またここでは、ゴム製のダイヤフラム５の筒状立ち上がり部分５ｂの上端を、ゴム弾性体４の薄肉部４ａに接着して、図では、このダイヤフラム５とゴム弾性体４との間には水、シリコーンオイル、アルキレングリコール等の所要の液体を液密に封入した液室６を形成する。
この液室６を、例えば、ゴム材料と金属材料からなる仕切部材７によって、外筒金具３の軸線方向に二分割して主液室６ａと副液室６ｂとに区分する。
【００１５】
そして、これらの両液室６ａ，６ｂを、仕切部材７とは別体になって、剛性材料、例えば、金属、熱硬化性樹脂、熱可塑性樹脂等の剛性部材を主体とする制限通路８によって連通させる。この制限通路８は、断面形状がチャンネル状をなす環状剛性材料を、外筒金具３の内周面に沿って全周にわたって、直接的にまたは、図示のように、薄肉部４ａを介して間接的に、外筒金具３のかしめ固定等することによって構成することができる。
【００１６】
図１，２では、金属材料等の剛性部分と、ゴムその他の弾性部分からなる仕切部材７は、制限通路８とゴム弾性体４との間に挾持されるリング状のフランジ部７ａと、このフランジ部７ａに連続して図の下方側へ突出する筒状部７ｂと、この筒状部７ｂの先端の、図では下端に形成した内向フランジ部７ｃからなる剛性部分と、この内向フランジ部７ｃに連結されて、内向フランジ部７ｃの開口を閉止する弾性部材からなるメンブラン９で構成してなる。
【００１７】
ところで、この仕切部材７の、筒状部７ｂの下端部は、ダイヤフラム５の可撓部分ないしは弾性変形部分５ａより肉厚にした厚肉肩部５ｃによっても位置決め支持することもできる。
また、仕切部材７はゴム弾性体４の薄肉部４ａの内周面に挟み込ませて軸方向の位置決め支持する。
そしてまた、例えば、ダイヤフラム５をスチレン−ブタジエン系ゴムで、制限通路８をポリフェニレンエーテル樹脂で形成する場合には、それらの両者を加硫接着することにより、拡散接着により、接着剤なしに、十分強固に接着させることができる。
【００１８】
このような防振装置１では、コア金具２または外筒金具３のいずれか一方に連結された振動発生部から入力された振動は、ゴム弾性体４の変形によって吸収される他、主・副液室内の液体が、圧力変化に基づいて、制限通路８を経て、それらの間で流動することによる液柱共振、流動抵抗等によって減衰されることになるので、他方の部材が防振されるのは振動伝達側に連結された十分に防振されることになる。
【００１９】
この一方で、高周波の振動が入力されて、制限通路８が目詰まり状態となって、封入液体のそこへの流動が不能となった場合は、メンブラン９が、例えば弾性変形下で振動することで、液室内圧の異常な増加を防止するので、ゴム弾性体４の変形に基づく防振機能は依然として発揮することができ、動ばね定数を十分に低く抑えることができる。
【００２０】
そしてこの防振装置１ではさらに、ダイヤフラム５の筒状立ち上がり部分５ｂを、図では制限通路８の内周面に接着させるとともに、仕切部材７のフランジ部７ａおよび筒状部７ｂとの間に挾着し、仕切部材７の筒状部７ｂの下端周縁部７ｄを、制限通路８の下端部分８ａより下方に位置させる。
【００２１】
なおここで、ダイヤフラム５それ自体は、筒状立ち上がり部分５ｂを、外筒金具３の内周面に固定される制限通路８、より直接的には仕切部材７のフランジ部７ａが係合して加硫その他によって接着して軸方向の位置決め支持させることで、外筒金具３の下端を、制限通路８の介在下で、液密に封止することができる。
【００２２】
図３は、本発明の他の実施形態を示す縦断面の要部拡大断面図である。
この防振装置において好ましくは、ダイヤフラム１５と制限通路１８を、二色成型により一体成形する。
この構成により制限通路１８の脱脂工程が不要となるとともに、シボ形成を行うことでショットブラストを行わなくとも、充分な接触面積とアンカー効果を得ることができる。また、制限通路１８の内周面にダイヤフラム１５の設置を簡易に行うことができ、装置の製造および組付けの手間を大幅に削減できるとともに、軽量化をも実現することができる。
【００２３】
二色成型は、先ずはじめに樹脂材料を断面形状がチャンネル状をなす環状に注入して制限通路１８を形成し、その内周面には、型成形時にシボ加工を施す。その後、制限通路１８の内周面にゴム材料を注入してダイヤフラム１５を形成する。
【００２４】
このような防振装置おいてより好ましくは、ダイヤフラム５、１５の筒状立ち上がり部分５ｂ，１５ｂを、仕切部材の筒状部外周面に密着させた場合には、ダイヤフラムそれ自体の位置決め保持を確実なものとするとともに、十分強固なものとすることができる。
【００２５】
好ましくは、仕切部材７，１７の筒状部７ｂ，１７ｂと対応する下端周縁部７ｄ，１７ｄを、ダイヤフラム５，１５の、変形部分より肉厚の厚肉肩部５ｃ，１５ｃによって支持することで、仕切部材７，１７の位置決め保持を、上下の二個所の保持によってより強固なものとすることができる。
【００２６】
ところで、仕切部材を、全体がゴム材料からなり、挾持固定用のフランジ部と、筒状部と、メンブランとして機能する薄膜頂壁とを有する一体構造物とすることで、防振装置の部品点数および重量の低減を実現するとともに、部品の組付けのための作業工程および工数を不要とすることや、仕切部材とダイヤフラムを、二色成型により一体成形するがことでき、さらには、異音の発生のおそれを十分に取り除くことができる。
【符号の説明】
【００２７】
１    防振装置
２    コア金具
３    外筒金具
４    ゴム弾性体
４ａ  薄肉部
５，１５  ダイヤフラム
５ａ  弾性変形部分
５ｂ，１５ｂ，２５ｂ  筒状立ち上がり部分
５ｃ，１５ｃ，２５ｃ
６    液室
６ａ  主液室
６ｂ  副液室
７，１７  仕切部材
７ａ  フランジ部
７ｂ  筒状部
７ｃ  内向フランジ部
７ｄ，１７ｄ  下端周縁部
８，１８，２８  制限通路
８ａ，２８ａ  下端部分
９  メンブラン
【図１】
2010255688.tif 000003
【図２】
2010255688.tif 000004
【図３】
2010255688.tif 000005
【図４】
2010255688.tif 000006